(57)【特許請求の範囲】
【請求項１】
リールを釣竿に装着するための係止構造であって、
リールの取付脚を載置する載置部と、前記載置部の端部に設けられリールの取付脚の一端側を係止するための固定係止部と、前記固定係止部に対して軸方向に間隔を隔てて配置された雄ネジ部とを有する本体部と、
前記固定係止部に対向して配置され、前記取付脚の他端側を係止するための移動係止部を有し、前記雄ネジ部の外周に軸方向に移動可能かつ回転不能に装着される移動リングと、
前記雄ネジ部に螺合可能な雌ネジ部を有し、前記移動リングと一体で軸方向に移動可能でありかつ前記移動リングに対して相対回転可能なナット部とを備え、
前記本体部の前記移動リング側端面の少なくとも前記載置部に周方向に対向する側には段部が設けられており、
前記移動リングの前記本体部側端面の少なくとも前記載置部に周方向に対向する側には前記段部に当接する当接部が設けられており、
前記段部は前記移動リング側ほど小径に形成される複数の段を有しており、前記当接部は前記複数の段にそれぞれ当接し噛合する、リール係止構造。
【請求項２】
前記移動リングは対向して設けられた２つの移動係止部を有している、請求項１に記載のリール係止構造。
【請求項３】
リールを釣竿に装着するための係止構造であって、
リールの取付脚を載置する載置部と、前記載置部の端部に設けられリールの取付脚の一端側を係止するための固定係止部と、前記固定係止部に対して軸方向に間隔を隔てて配置された雄ネジ部とを有する本体部と、
前記固定係止部に対向して配置され、前記取付脚の他端側を係止するための移動係止部を有し、前記雄ネジ部の外周に軸方向に移動可能かつ回転不能に装着される移動リングと、
前記雄ネジ部に螺合可能な雌ネジ部を有し、前記移動リングと一体で軸方向に移動可能でありかつ前記移動リングに対して相対回転可能なナット部（１４）とを備え、
前記本体部の前記移動リング側端面の少なくとも前記載置部に周方向に対向する側には段部が設けられており、
前記移動リングの前記本体部側端面の少なくとも前記載置部に周方向に対向する側には前記段部に当接する当接部が設けられており、
前記移動リングは対向して設けられた２つの移動係止部を有している、リール係止構造。
【請求項４】
前記段部は前記載置部以外の前記本体部の前記移動リング側端面全体に形成されており、前記当接部は前記移動リングの前記本体部側端面全体に形成されている、請求項１〜３のいずれか１項に記載のリール係止構造。
【発明の詳細な説明】
【０００１】
【発明の属する技術分野】
本発明は、釣り用のリールを釣竿に取り付けるために竿体に装着されているナット式のリール係止構造に関する。
【０００２】
【従来の技術】
釣竿には、スピニングリールや両軸受リール等の釣り用リールを取り付けるためのナット式リールシートが設けられている。このリールシートは、一般的に、リールの取付脚の一端側を係止する係止部と雄ネジ部とを有するシート本体と、移動シート部と、ナット部とを備えている。移動シート部は、リール取付脚の他端側を係止する係止部を有し、シート本体に対して相対移動可能である。ナット部は、雄ネジ部に螺合して移動シート部を移動させる。
【０００３】
このようなリールシートでは、リールの取付脚の一端をシート本体の係止部に係止した状態でナット部を回転させて、移動シート部の係止部をシート本体の係止部に接近させ、移動シート部の係止部で取付脚の他端を係止しかつ両係止部で取付脚を挟持することによって釣り用リールを竿体に固定する。
【０００４】
【発明が解決しようとする課題】
従来のナット式リールシートでは、リールを竿体に固定する際にナット部を強く締め付けて移動シート部をシート本体側に近接させると、移動シート部の一部がリール取付脚に乗り上げてリール取付脚側と反対側に過度の力が加わって、リール取付脚の逆側に向かって移動シート部が竿体の軸方向から傾いてしまう恐れがある。このように、移動シートが傾いた状態で釣りを行うとバランスが崩れてしまい、また、リールシートに不安定な力が加わり、安定して釣りを行うことができない場合もある。特に、移動シート部にグリップが連結されているような釣竿では、移動シート部と共にグリップも傾いてしまうのでバランスが崩れがちである。
【０００５】
本発明の課題は、安定した状態で釣り用リールを竿体に係止可能であり、バランスが良好なリール係止構造を提供することにある。
【０００８】
【課題を解決するための手段】
発明１にかかるリール係止構造は、リールを釣竿に装着するための係止構造であって、リールの取付脚を載置する載置部と、載置部の端部に設けられリールの取付脚の一端側を係止するための固定係止部と、固定係止部に対して軸方向に間隔を隔てて配置された雄ネジ部とを有する本体部と、固定係止部に対向して配置され取付脚の他端側を係止するための移動係止部を有し、雄ネジ部の外周に軸方向に移動可能かつ回転不能に装着される移動リングと、雄ネジ部に螺合可能な雌ネジ部を有し、移動リングと一体で軸方向に移動可能でありかつ移動リングに対して相対回転可能なナット部とを備えている。そして、本体部の移動リング側端面の少なくとも載置部に周方向に対向する側には段部が設けられており、移動リングの本体部側端面の少なくとも載置部に周方向に対向する側には、段部に当接する当接部が設けられ、段部は移動リング側ほど小径に形成される複数の段を有しており、当接部は複数の段にそれぞれ当接し噛合する。
この係止構造では、リールの取付脚を載置部に載置し、取付脚の一端側を固定係止部に係止させた状態でナット部の雌ネジ部を本体部の雄ネジ部に螺合させて一方向に回転させると、ナット部に押し出されて移動リングが固定係止部に近接し、移動係止部が取付脚の他端側を係止する。即ち、固定係止部と移動係止部とでリールの取付脚を挟持して固定することになる。この際、移動リングの当接部が本体部の段部に当接する。この当接部と段部とは少なくともリールの取付脚が載置される載置部に周方向に対向する側には設けられており、載置部に周方向に対向する側に過度の力が加わるのを抑える。この結果、ナット部の雌ネジ部を本体部の雄ネジ部に強く螺合させても、移動リング及びナット部が竿体の軸方向から反載置部側に傾くのを防止できる。
また、段部と当接部とが噛み合い移動リングと本体部とはより安定した状態とする。そして、移動リング及びナット部が竿体の軸方向から傾いてしまうのを有効に防止する。
【０００９】
発明２にかかるリールの係止構造は、発明１の構造であって、移動リングは対向して設けられた２つの移動係止部を有している。この場合には、この２つの移動係止部の大きさを異ならせることで、異なるサイズの脚部を有するリールを係止可能である。
発明３に係るリールの係止構造は、リールを釣竿に装着するための係止構造であって、リールの取付脚を載置する載置部と、載置部の端部に設けられリールの取付脚の一端側を係止するための固定係止部と、固定係止部に対して軸方向に間隔を隔てて配置された雄ネジ部とを有する本体部と、固定係止部に対向して配置され取付脚の他端側を係止するための移動係止部を有し、雄ネジ部の外周に軸方向に移動可能かつ回転不能に装着される移動リングと、雄ネジ部に螺合可能な雌ネジ部を有し、移動リングと一体で軸方向に移動可能でありかつ移動リングに対して相対回転可能なナット部とを備えている。そして、本体部の移動リング側端面の少なくとも載置部に周方向に対向する側には段部が設けられており、移動リングの本体部側端面の少なくとも載置部に周方向に対向する側には、段部に当接する当接部が設けられ、移動リングは対向して設けられた２つの移動係止部を有している。
発明４にかかるリールの係止構造は、発明１〜３の構造であって、段部は載置部以外の本体部の移動リング側端面全体に形成されており、当接部は移動リングの本体部側端面全体に形成されている。
【００１０】
この場合には、ナット部の雌ネジ部を本体部の雄ネジ部に螺合させて移動リングを本体部方向に移動させると、当接部がほぼ周方向全体にわたって段部に当接する。この結果、周方向全体にわたって移動リングと本体部とが十分に当接して一方向に過度の力が加わるのをさらに有効に防止できる。
【００１１】
【発明の実施の形態】
本発明の一実施形態を採用した釣竿は、図１に示すように、竿体１と竿体１の竿元側端部に配置された竿元グリップ２と、竿体１の穂先側に配置されたリールシート３とを有している。
竿体１は炭素繊維，ガラス繊維等の強化繊維に合成樹脂を含浸させたプリプレグをマンドレルに巻回して得た先細り筒状部材であり、複数の竿体を並継形式に連結してなるものである。竿体１には複数の釣糸ガイド４が所定の間隔を隔てて配置されており、穂先側端部にはトップガイド５が配置される。そして、リールからの釣糸はこの釣糸ガイド４を介してトップガイド５へと導かれることになる。
【００１２】
図２に詳しく示すように、リールシート３は、竿体１の外周面に装着されたパイプ状部材１０と、パイプ状部材１０の外周面にはめ込まれて固定された略筒状のスペーサ１１と、スペーサ１１の竿元側に連結されつつパイプ状部材１０の外周面に配置された固定係止部１２とを有している。さらに、パイプ状部材１０の穂先側外周面にはパイプ状部材１０上を軸方向に移動自在に配置された移動リング１３と、移動リング１３の穂先側に配置されたナット部１４と、ナット部１４の外周に配置された前グリップ１５とを有している。
【００１３】
パイプ状部材１０は、内部に竿体１が貫通して装着される合成樹脂等を成型して得られた部材である。このパイプ状部材１０の穂先側外周面にはネジ山が形成されており雄ネジ部１０ａとなっている。また、パイプ状部材１０の左右方向（リール装着方向を上下方向とする）には、周内方向にやや凹入したレール１０ｂがそれぞれ軸方向に連続して形成されている。
【００１４】
図３〜図５に示すように、スペーサ１１は内部にパイプ状部材１０が貫通して装着される合成樹脂または金属等から形成される部材である。そして、リールの脚部Ｒを載置可能に平坦に形成された載置部２１と、穂先側端面に形成された段部２２と、竿元側端部に形成され他の部分よりやや小径に切り欠かれた切欠部２３とを有している。載置部２１は、スペーサ１１の周方向の一部が軸方向に平坦になるように連続して切り欠かれて平面状に形成された部分である。また、スペーサ１１の穂先側端面は順次穂先側ほど小径になるように階段状に切り欠かれて段部２２が形成されている。この段部２２は、載置部２１として軸方向に切り欠かれた部分を除いてスペーサ１１の穂先側端面周方向に連続して形成されている。詳しくは、スペーサ１１の周面から一段小径に形成された第１段部２２ａと、第１段部２２ａよりさらに小径に形成された第２段部２２ｂとを有している。
【００１５】
図２に示すように、固定係止部１２は、スペーサ１１の竿元側の切欠部２３にはめ込まれて固定された合成樹脂等からなる略円筒状の部材である。この固定係止部１２には、載置部２１の竿元側の一部を覆うようにフード状に形成された固定フード１２ａが形成されている。
図２及び図６〜図９に示すように、移動リング１３は、内径がパイプ状部材１０の外径よりやや大きい寸法の略円筒形部材であり、パイプ状部材１０の外周面上を軸方向に移動可能である。この移動リング１３は、竿元側端面内周に形成された移動係止部３０と、内周面の穂先側から軸方向ほぼ中央付近までにわたって形成された一対の突起部３１と、穂先側に突出して形成された係止突起３２とを有している。移動係止部３０は、固定フード１２ａに対向して配置されリールの取付脚Ｒの先端側を係止するための部分であり、移動リング１３がパイプ状部材１０上を竿元側に移動すると載置部２１上に位置し載置部２１の穂先側部分を覆いかつその間にリールの取付脚Ｒが挿入可能な空間が生じるように設計されている。なお、この移動係止部３０は軸方向の長さが異なるものが周軸に対称に２カ所（３０ａ，３０ｂ）それぞれ形成されている。また、突起部３１は、移動リング１３内周面の移動係止部３０に対して周方向に９０度変位した位置に設けられ、径内方向に突出した部分である。パイプ状部材１０のレール１０ｂに滑動可能に嵌入され、移動リング１３の周方向への回転を制御している。即ち、後に詳しく述べるナット部１４の軸方向への移動に伴って、この移動リング１３は周方向にか移転することなく軸方向に移動する。
【００１６】
また、移動リング１３の竿元側端部内周面は、図７〜図９に示すように、順次内径が小径になるように切り欠かれており、外周側から順に第１内周部（当接部）１３ａと第２内周部（当接部）１３ｂとが形成されている。第１内周部１３ａは、移動リング１３の全周に形成され、移動リング１３の周に比べてやや楕円を描くように形成されている。そして、第１内周部１３ａの上下方向（係止移動部３０方向）の内半径Ａ（図７参照）はスペーサ１１の穂先側端面の第１段部２２ａ部分の外半径Ｂ（図４参照）にほぼ一致しており、移動リング１３がパイプ状部材１０上を竿元側に移動した際に第１内周部１３ａが第１段部２２ａに当接する。一方、第２内周部１３ｂも移動リング１３の全周にわたって形成されており、第２内周部１３ｂの内半径Ｃ（図７参照）はスペーサ１１の穂先側端面の第２段部２２ｂ部分の外半径Ｄ（図４参照）にほぼ一致しており、移動リング１３がパイプ状部材１０上を竿元側に移動した際に第２内周部１３ｂが第２段部２２ｂに当接可能になっている。
【００１７】
図２に示すように、ナット部１４は内周面にパイプ状部材１０の雄ネジ部１０ａに螺合可能な雌ネジ部を有する筒状部材である。竿元側は移動リング１３の係止突起３２に相対回転可能に係止されている。そして、ナット部１４をパイプ状部材１０上で周方向に回転させることでナット部１４は竿体１の軸方向に移動する。また、ナット部１４の外周面にはコルク材やポリウレタンゴム等からなる前グリップ１５が配置されている。
【００１８】
このように構成された釣竿では、リールの取付脚Ｒを載置部２１に載置し、取付脚Ｒの一端側を固定フード１２ａに係止させた状態でナット部１４をパイプ状部材１０上で一方向に回転させると、ナット部１４及び前グリップ１５が竿元側に移動する。このナット部１４に押し出されて移動リング１３が固定係止部１２に近接し、移動係止部３０が取付脚Ｒの他端側を係止する。即ち、固定フード１２ａと移動係止部３０とでリールの取付脚Ｒを挟持して固定することになる。この際、移動リング１３の当接部１３ａ，１３ｂがスペーサ１１の段部２２ａ，２２ｂにそれぞれ当接して噛み合う。そして、載置部２１に周方向に対向する側に過度の力が加わるのを抑えて、移動リング１３，ナット部１４，前グリップ１５が竿体１の軸方向から反載置部側に傾くのを防止する。
【００１９】
なお、リール取付脚Ｒの大きさが異なるものを載置部２１に載置する際には、ナット部１４のパイプ状部材１０に対する螺合を解除し、移動リング１３を穂先側に引き出した後に上下逆にして差し替えればよい。この場合にも、当接部１３ａ，１３ｂは段部２２ａ，２２ｂに当接して、移動リング１３等が傾くのを抑える。
【００２０】
［他の実施形態］
（ａ）段部の数及びこれに当接する当接部の数は任意である。
（ｂ）移動係止部を２つ設けることなく、移動リングの周方向に一カ所だけ形成してもよい。
（ｃ）ナット部外周に前グリップを必ずしも設ける必要はない。
【図面の簡単な説明】
【図１】本発明の一実施形態を採用した釣竿の全体図。
【図２】図１のリールシート付近の拡大断面図。
【図３】図２のスペーサ１１の上面図。
【図４】図３のスペーサ１１の断面図。
【図５】図４のＶ−Ｖ矢視図。
【図６】図２の移動リング１３の穂先側側面図。
【図７】図２の移動リング１３の断面図。
【図８】図２の移動リング１３の竿元側側面図。
【図９】図７のＩＸ−ＩＸ矢視図。
【符号の説明】
１  竿体
３  リールシート
１０  パイプ状部材
１１  スペーサ
１２  固定係止部
１２ａ  固定フード
１３  移動リング
１３ａ  第１内周部
１３ｂ  第２内周部
１４  ナット部
１５  前グリップ
２１  載置部
２２ａ  第１段部
２２ｂ  第２段部
３０  移動係止部
【図１】
0004229302.tif 000002
【図２】
0004229302.tif 000003
【図３】
0004229302.tif 000004
【図４】
0004229302.tif 000005
【図５】
0004229302.tif 000006
【図６】
0004229302.tif 000007
【図７】
0004229302.tif 000008
【図８】
0004229302.tif 000009
【図９】
0004229302.tif 000010